(57)【要約】【構成】シート９又はシートからなる袋体９０を有する栽培用土壌の円形状収納部１０とその外周に構築された支柱構造１１とを備えてなる第１段の植物栽培装置の構成部１２における支柱２と、栽培用土壌を収納することもできる円形状リング部とその外周に構築された支柱構造とを備えてなる第２段の植物栽培装置の構成部８における当該支柱２とを縦方向に連結して当該第１段の植物栽培装置の構成部１２に第２段の植物栽培装置の構成部８を載設すると共に、当該第２段の植物栽培装置の構成部８における当該支柱２と、栽培用土壌を収納することもできる円形状リング部とその外周に構築された支柱構造とを備えてなる第３段以降の複数段の植物栽培装置の構成部８における当該支柱２とを縦方向に連結して少なくとも３段構成の植物栽培装置の構成部を有してなる植物栽培装置１７。【効果】畑が無くてもベランダなどで場所をとらずに小さな空間で強風下でも安定して植物の栽培就中蔓物野菜の栽培が可能である。【選択図】        図１
2004337053.tif 000002
【特許請求の範囲】
【請求項１】
シート又は当該シートからなる袋体を有する栽培用土壌の円形状収納部とその外周に構築された支柱構造とを備えてなることを特徴とする植物栽培装置。
【請求項２】
シート又は当該シートからなる袋体を有する栽培用土壌の円形状収納部とその外周に構築された支柱構造とを備えてなる第１段の植物栽培装置の構成部における当該支柱と、栽培用土壌を収納することもできる円形状リング部とその外周に構築された支柱構造とを備えてなる第２段の植物栽培装置の構成部における当該支柱とを縦方向に連結して当該第１段の植物栽培装置の構成部に第２段の植物栽培装置の構成部を載設してなることを特徴とする植物栽培装置。
【請求項３】
シート又は当該シートからなる袋体を有する栽培用土壌の円形状収納部とその外周に構築された支柱構造とを備えてなる第１段の植物栽培装置の構成部における支柱と、栽培用土壌を収納することもできる円形状リング部とその外周に構築された支柱構造とを備えてなる第２段の植物栽培装置の構成部における当該支柱とを縦方向に連結して当該第１段の植物栽培装置の構成部に第２段の植物栽培装置の構成部を載設すると共に、当該第２段の植物栽培装置の構成部における当該支柱と、栽培用土壌を収納することもできる円形状リング部とその外周に構築された支柱構造とを備えてなる第３段以降の複数段の植物栽培装置の構成部における当該支柱とを縦方向に連結して少なくとも３段構成の植物栽培装置の構成部を有してなることを特徴とする植物栽培装置。
【請求項４】
栽培用土壌の円形状収納部、栽培用土壌を収納することもできる円形状リング部又は支柱構造が、組立式で大きさを可変できるようになっていることを特徴とする、請求項１、２又は３に記載の植物栽培装置。
【発明の詳細な説明】
【０００１】
【発明の属する技術分野】
本発明は、植物栽培装置に関し、特に、畑が無くてもベランダなどで場所をとらずに小さな空間で強風下でも安定して植物の栽培就中蔓物野菜の栽培が可能な植物栽培装置に関するものである。
【０００２】
【従来の技術】
近時、園芸ブームで、狭い空間の庭やベランダなどを利用して野菜や花や植木などの植物を栽培することが盛んに行われている。
その際に使用される栽培用土壌（用土、培土）の収納容器としては、鉢を使用する他、各種ビニール袋、木箱、収穫箱、発泡スチロール箱などが使用されている。又、最近、プラスチック成形された箱形のプランターも使用されるようになってきた。
前記収納容器では、肥料袋や米袋などの空袋を当該栽培用に転用し、当該袋に用土を入れて野菜を栽培する袋栽培も行われている。しかしながら、当該袋栽培は、袋に用土を入れて、安定して立てて設置することは困難で、用土を入れた複数の袋を背もたれさせながら並べて使用しなければならず、扱い難いものとなっており、又、当該袋栽培では、蔓物栽培をする場合、用土に蔓を巻き付かせる支柱を立てるが、当該支柱は、風の強いときには、倒伏してしまうという欠点もあり、更には、根を張らせるためには、用土量を多くし、用土を深くする必要があるが、用土を深くすると、一層安定性を失ってしまうという欠点がある。
又、木箱等の箱や鉢などの使用の場合、植物を横並びに栽培するので、場所をとってしまい、また、蔓物栽培をする場合、用土に支柱を立てるが、当該支柱は、横並びに１本１本ずつ立てて用土に固定する必要があり、又、風の強いときには、倒伏してしまうという欠点があり、更には、収穫を上げようとする時には、木箱等の箱や鉢などを勢い大きなものとする必要があるので、その設置場所を広くとってしまうという欠点がある。
更には、前記プラスチック製のプランターを使用する場合、当該プランターは、一般に、重く且つ嵩張るので、取扱性が劣り、又、前記の木箱等の箱や鉢などの使用の場合と同様に、蔓物栽培をする場合、用土に支柱を立てるが、当該支柱は、横並びに１本１本ずつ立てて用土に固定する必要があり、又、風の強いときには、倒伏してしまうという欠点があり、更には、収穫を上げようとする時には、当該プラスチック製のプランターを勢い大きなものとする必要があるので、重く且つ嵩張り、その設置場所を広くとってしまうという欠点があった。
【０００３】
【発明が解決しようとする課題】
本発明は、上記のような従来技術の有する欠点を解消することができる技術を提供することを目的としたものである。
本発明の他の目的および新規な特徴は以下の明細書及び図面の記載からも明らかになるであろう。
【０００４】
【課題を達成するための手段】
本発明は、シート又は当該シートからなる袋体を有する栽培用土壌の円形状収納部とその外周に構築された支柱構造とを備えてなることを特徴とする植物栽培装置に係るものである。
又、本発明は、シート又は当該シートからなる袋体を有する栽培用土壌の円形状収納部とその外周に構築された支柱構造とを備えてなる第１段の植物栽培装置の構成部における当該支柱と、栽培用土壌を収納することもできる円形状リング部とその外周に構築された支柱構造とを備えてなる第２段の植物栽培装置の構成部における当該支柱とを縦方向に連結して当該第１段の植物栽培装置の構成部に第２段の植物栽培装置の構成部を載設してなることを特徴とする植物栽培装置に係るものである。
更に、本発明は、シート又は当該シートからなる袋体を有する栽培用土壌の円形状収納部とその外周に構築された支柱構造とを備えてなる第１段の植物栽培装置の構成部における支柱と、栽培用土壌を収納することもできる円形状リング部とその外周に構築された支柱構造とを備えてなる第２段の植物栽培装置の構成部における当該支柱とを縦方向に連結して当該第１段の植物栽培装置の構成部に第２段の植物栽培装置の構成部を載設すると共に、当該第２段の植物栽培装置の構成部における当該支柱と、栽培用土壌を収納することもできる円形状リング部とその外周に構築された支柱構造とを備えてなる第３段以降の複数段の植物栽培装置の構成部における当該支柱とを縦方向に連結して少なくとも３段構成の植物栽培装置の構成部を有してなることを特徴とする植物栽培装置に係るものである。
本発明における好ましい実施態様は、上記植物栽培装置において、栽培用土壌の円形状収納部、栽培用土壌を収納することもできる円形状リング部又は支柱構造が、組立式で大きさを可変できるようになっていることを特徴とする。
【０００５】
【実施の最良の形態】
図１は、本発明の実施例を示す植物栽培装置の構成図、図２（Ａ）は、本発明で使用される組立部材の一例説明図、図２（Ｂ）は、同組立部材に使用される固定具の一例説明図、図２（Ｃ）は、同組立部材を横に連結してなる連結部材の一例説明図、図３は、同連結部材の端部を連結して円形状となす一例説明図、図４は、同円形状となした構成部の一例説明図、図５は、本発明の他の実施例を示すシートを有する植物栽培装置の一例構成図、図６（Ａ）は、本発明に使用されるシートの一例説明図、図６（Ｂ）は、本発明に使用される当該シートからなる袋体の一例説明図、図７は、本発明の更に他の実施例を示す植物栽培装置の組立前の一例説明図、図８は、本発明の更に又他の実施例を示す植物栽培装置の組立後の一例構成図、図９は、本発明の植物栽培装置による栽培の一例を示す説明図、図１０（Ａ）は、本発明の植物栽培装置による栽培の他の例を示す一例説明図、図１０（Ｂ）は、本発明の植物栽培装置による栽培の更に他の例を示す一例説明図、図１１は、本発明の植物栽培装置による栽培の更に又他の例を示す一例説明図である。
【０００６】
【実施例】
図２（Ａ）に示すように、上下２本の適宜間隔を空けた水平方向のバー１に、左右２本の垂直バー２を適宜間隔を空けて井型に固定する。当該固定には、例えば、、図２（Ｂ）に示すような固定具３を使用して行うことができる。当該固定具３は、例えば、支持部３０と端部切欠部３１を有する円弧部３２とを備えてなる。  当該支持部３０を水平方向のバー１に固定し、当該円弧部３２の内部に垂直バー２を差し込み、当該水平方向のバー１に垂直バー２を固定することができる。
図示のように、水平方向のバー１の一端部には、後述のように他の隣接する水平方向のバーの端部を接続できる接続部４を取付ける。
当該水平方向のバー１及び垂直バー２には、それぞれ滑り止めの処理を施しておくとよい。
上記水平方向のバー１に垂直バー２を固定し、接続部４を取付てなる組立部材５を、例えば、４個用意し、図２（Ｃ）に示すように、当該組立部材５を横並びに連結する。当該連結により、図２（Ｃ）に示すように、８本の垂直バーが、上下２本ずつ４組（８本）の水平方向に連結されたバー１に固定された梯子型の連結部材６を形成する。
図示のように、当該組立部材５や連結部材６の垂直バー２の中央には、その水平方向に締付け具７を横設する。当該締付具７は、ロープや細紐や鎖などで構成され、一端部には丸輪７０を取付け、又、他端部にはフック７１を取付け、締め付けやすいようにする。当該フック７１を引っ張り、当該丸輪７０に当該フック７１を引っ掛けて、締め付けを行うことができる。当該締付具７は、図示のように、垂直バー２の中央に取付具を用いて取り付けるとよい。
上記のように、水平方向のバー１及び垂直バー２に滑り止めを施すなどして出来るだけ動かないように固定する。一方、締付け具７は、左右に動き適宜位置で締め付けできるようにしておくとよい。
水平方向のバー１は、例えば、弾力性のあるグラスファイバーやカーボンなどからなっている。垂直バー２は、例えば、スチールパイプなどからなっている。
【０００７】
図３に示すように、当該８本の垂直バー２と８本の水平方向のバー１とを備えた梯子型の連結部材６を丸く曲げ加工し、水平方向のバー１の一端部の接続部４の開口４０に、他の隣接する水平方向のバー１の端部を差込み接続する。
図４に示すように、上記接続により、８本の垂直バーと８本の水平方向のバー１とを備えた植物栽培装置の構成部８が形成される。
前記のように、フック７１を引っ張り、丸輪７０に当該フック７１を引っ掛けて、締付け具７を輪にして締め付ける。
【０００８】
図６（Ａ）に示すようなシート９を、図６（Ｂ）に示すように丸め袋状とし、袋体９０とする。当該袋体９０は、円形の開口部９００を有するようにする。図６（Ａ）に示すように、シート９は、短冊状に構成され、その下部は、点線のライン上で内側に折り曲げられる。図示が省略されているが、当該袋体９０の底部は、排水が出来るようになされる。
図５に示すように、前記で形成された植物栽培装置の構成部８に、上記袋体９０（シート９）を装着する。尚、袋体９０とせずに、シート９の状態で下部を内側に折り曲げ装着してもよい。
図５に示すような当該シート９乃至袋体９０を有する栽培用土壌の円形状収納部１０とその外周に構築された垂直バー２よりなる支柱構造１１とで植物栽培装置１２を構成することができる。
図１０（Ａ）は、当該植物栽培装置１２を用いて植物の栽培を行う一例を示してある。
図１０（Ａ）に示すように、当該円形状収納部１０における装着シート９乃至袋体９０の内部に、栽培用土壌１３を入れて、野菜、花などの植物を栽培することができる。
本発明では、前記垂直バー２や水平方向のバー１とを備えた梯子型の連結部材６の組立数を適宜変更でき、又、当該垂直バー２や水平方向のバーの長さなどを適宜変更できるので、円形状収納部１０等の大きさを変更できる。
図１０（Ｂ）に示すように、円形状収納部１０の大きさを拡大した当該植物栽培装置１２を用いて植物の栽培を行うことができ、前期と同様にして当該円形状収納部１０における装着シート９乃至袋体９０の内部に、栽培用土壌１３を入れて、野菜、花などの植物を栽培することができ、広い栽培面積を確保できる。
図示のように、円形状収納部１０の外周に垂直バー２よりなる支柱１１が構築されているので、安定して植物の栽培が可能で、従来の袋栽培よりも安定させることができる。又、従来の袋栽培において蔓物栽培をする場合には、用土に支柱を立てざるを得ず、当該用土に立てた支柱が、風の強いときには倒伏してしまうという欠点があったが、本発明ではそうした欠点がなく、更には、用土量を多くし、用土を深くしても安定性を失うことがない。その為、根を深く張らせることができる。
又、木箱等の箱や鉢などの場合と異なり、植物を横並びに栽培しなくて済むので、場所をとらず、ベランダなどの小さな空間でも栽培をすることが出来る。
更には、プラスチック製のプランターにて蔓物栽培をする場合には、用土に支柱を横並びに１本１本ずつ立てて固定するのに対し、本発明では、円形状収納部９の外周に構築された支柱２を利用して、蔓を絡ませることが出来、場所をとらず、ベランダなどの小さな空間でも栽培をすることが出来る。
【０００９】
図７及び図８に示すように、図５に図示のシート９又は当該シート９からなる袋体９０を有する栽培用土壌の円形状収納部１０とその外周に構築された垂直バー２よりなる支柱構造１１と備えてなる植物栽培装置の構成部１２を第１段として、当該第１段の植物栽培装置の構成部１２の上に、図４に図示の栽培用土壌を収納することもできる水平方向のバー１よりなる円形状収納部とその外周に構築された垂直バー２よりなる支柱構造とを備えてなる第２段の植物栽培装置の構成部８を載設して植物栽培装置１４を構成することができる。
当該該第１段の植物栽培装置の構成部１２に、第２段の植物栽培装置の構成部８を載設するには、第１段における当該支柱２と第２段における当該支柱２とを、上下連結部材１５にて縦方向に連結すればよい。
尚、図７及び図８では、第２段の植物栽培装置の構成部８では、シートを装着していないものを示したが、第１段の植物栽培装置の構成部１２と同様に、シート又は袋体を装着して、栽培用土壌を当該シート又は袋体に入れ、当該第２段の植物栽培装置の構成部８でも、当該土壌による栽培を行ってもよい。
図７及び図８では、第１段の植物栽培装置の構成部１２の上に、第２段の植物栽培装置の構成部８を載設して植物栽培装置１４を構成する例を示したが、当該第２段の植物栽培装置の構成部８の上に、同様の第３段の植物栽培装置の構成部８を載設して植物栽培装置を構成することもでき、同様にして第４段以上の植物栽培装置を構成することが出来る。
その際に、前記上下連結部材１５の長さによって当該植物栽培装置の高さを可変出来る
【００１０】
図９は、当該３段構成の植物栽培装置による植物栽培の一例で、蔓物栽培のスイカなどの植物１６の栽培が可能で、畑が無くても、ベランダなどで場所をとらずに小さな空間で強風下でも安定して植物の栽培就中蔓物野菜の栽培が可能となる。
即ち、図９に示すように、当該植物栽培装置１４によれば、水平方向のバー１よりなる円形状収納部の外周に垂直バー２よりなる支柱が構築されているので、安定してスイカなどの植物１６の栽培が可能で、袋栽培よりも安定させることができる。第１段の支柱の垂直バー２に、第２段や第３段における支柱２を連結していくことにより、支柱をより高くすることができ、その支柱に蔓を絡ませることができるので、スイカ等のなどの植物１６の収穫を向上させることができ、又、袋栽培で蔓物栽培をする場合のような、用土に立てた支柱が、風の強いときに倒伏してしまうという欠点がなく、更には、用土量を多くし、用土を深くしても安定性を失うことがない。
又、木箱等の箱や鉢などの場合と異なり、植物を横並びに栽培しなくて済むので、場所をとらず、ベランダなどの小さな空間でも栽培をすることが出来る。
更には、プラスチック製のプランターにて蔓物栽培をする場合には、用土に支柱を横並びに１本１本ずつ立てて固定するのに対し、本発明では、円形状収納部の外周に構築された支柱を利用して、蔓を絡ませることが出来、場所をとらず、ベランダなどの小さな空間でも栽培をすることが出来る。
上記から、本発明の植物栽培装置によれば、畑が不要の、狭い面積で多数の植物の収穫を確保できる小さな農園を構成することができることが判る。
【００１１】
図１に示す植物栽培装置１７は、図５に図示のシート９又は当該シート９からなる袋体９０を有する栽培用土壌の円形状収納部１０とその外周に構築された垂直バー２よりなる支柱構造１１と備えてなる植物栽培装置の構成部１２を第１段として、当該第１段の植物栽培装置の構成部１２の上に、図４に図示の栽培用土壌を収納することもできる水平方向のバー１よりなる円形状収納部とその外周に構築された垂直バー２よりなる支柱構造とを備えてなる第２段の植物栽培装置の構成部８を載設し、更に、２個の当該第２段の植物栽培装置の構成部８を、前記のように、連結部材１５にて垂直バー２を縦方向に連結して載設し４段構成の植物栽培装置としたものである。
当該４段からなる多段構成により、より一層、安定して植物の栽培が可能で、又、支柱をより一層高くすることができ、その支柱に蔓を絡ませることができるので、より一層植物の収穫を向上させることができ、又、袋栽培で蔓物栽培をする場合のような、用土に支柱を立てないので、風の強いときにも倒伏してしまうという欠点がなく、更には、用土量を多くし、用土を深くしても安定性を失うことがない。
又、当該植物栽培装置１７は、上方の空間を利用して栽培を行うので、横のスペースを取らず、ベランダなどの小さな空間でも栽培をすることが出来、木箱等の箱や鉢などの場合と異なり、植物を横並びに栽培しなくて済むので、場所をとらず、ベランダなどの小さな空間でも栽培をすることが出来る。
更には、プラスチック製のプランターにて蔓物栽培をする場合には、用土に支柱を横並びに１本１本ずつ立てて固定するのに対し、本発明では、円形状収納部の外周に構築された支柱を利用して、蔓を絡ませることが出来、場所をとらず、ベランダなどの小さな空間でも栽培をすることが出来る。
【００１２】
本発明では、図１に示すように、上記植物栽培装置１７の最上部に傘１８を載置し、図１１に示すように、ビニールシート、虫除け網、寒冷紗等の覆い体１９で全体を又必要箇所を覆うことにより、害虫、鳥の被害、落ち葉、早熟の実の落下などから保護することができる。
【００１３】
本発明は、前記実施例に限定されず各種変更が可能である。
例えば、接続部４は、水平方向のバー１と一体化されていてもよい。
【００１４】
【発明の効果】
本願において開示される発明のうち代表的なものによって得られる効果を簡単に説明すれば、下記のとおりである。
すなわち、本発明によれば、安定して植物の栽培が可能で、袋栽培で蔓物栽培をする場合のような、用土に支柱を立てないので、風の強いときにも倒伏してしまうという欠点がなく、更には、用土量を多くし、用土を深くしても安定性を失うことがなく、又、支柱を高くして、その支柱に蔓を絡ませることができるので、植物の収穫を向上させることができる。
又、当該植物栽培装置は、上方の空間を利用して栽培を行うので、横のスペースを取らず、ベランダなどの小さな空間でも栽培をすることが出来、木箱等の箱や鉢などの場合と異なり、植物を横並びに栽培しなくて済むので、場所をとらず、ベランダなどの小さな空間でも栽培をすることが出来る。
更には、プラスチック製のプランターにて蔓物栽培をする場合には、用土に支柱を横並びに１本１本ずつ立てて固定するのに対し、本発明では、円形状収納部の外周に構築された支柱を利用して、蔓を絡ませることが出来、場所をとらず、ベランダなどの小さな空間でも栽培をすることが出来る。
本発明の植物栽培装置は、栽培用土壌の円形状収納部、栽培用土壌を収納することもできる円形状リング部又は支柱構造が、組立式で大きさを可変でき、組立、解体を容易に行うことができる。
【図面の簡単な説明】
【図１】本発明の実施例を示す植物栽培装置の構成図である。
【図２】図２（Ａ）は、本発明で使用される組立部材の一例説明図、図２（Ｂ）は、同組立部材に使用される固定具の一例説明図、図２（Ｃ）は、同組立部材を横に連結してなる連結部材の一例説明図である。
【図３】図３は、同連結部材の端部を連結して円形状となす一例説明図である。
【図４】図４は、同円形状となした構成部の一例説明図である。
【図５】図５は、本発明の他の実施例を示すシートを有する植物栽培装置の一例構成図である。
【図６】図６（Ａ）は、本発明に使用されるシートの一例説明図、図６（Ｂ）は、本発明に使用される当該シートからなる袋体の一例説明図である。
【図７】図７は、本発明の更に他の実施例を示す植物栽培装置の組立前の一例説明図である。
【図８】図８は、本発明の更に又他の実施例を示す植物栽培装置の組立後の一例構成図である。
【図９】図９は、本発明の植物栽培装置による栽培の一例を示す説明図である。
【図１０】図１０（Ａ）は、本発明の植物栽培装置による栽培の他の例を示す一例説明図、図１０（Ｂ）は、本発明の植物栽培装置による栽培の更に他の例を示す一例説明図である。
【図１１】図１１は、本発明の植物栽培装置による栽培の更に又他の例を示す一例説明図である。
【符号の説明】
１…水平方向のバー
２…垂直バー
３…固定具
４…接続部
５…組立部材
６…連結部材
７…締付け具
８…植物栽培装置の構成部
９…シート
１０…栽培用土壌の円形状収納部
１１…支柱構造
１２…植物栽培装置
１３…栽培用土壌
１４…植物栽培装置
１５…連結部材
１６…植物
１７…植物栽培装置
１８…傘
１９…覆い体
９０…袋体
【図１】
2004337053.tif 000003
【図２】
2004337053.tif 000004
【図３】
2004337053.tif 000005
【図４】
2004337053.tif 000006
【図５】
2004337053.tif 000007
【図６】
2004337053.tif 000008
【図７】
2004337053.tif 000009
【図８】
2004337053.tif 000010
【図９】
2004337053.tif 000011
【図１０】
2004337053.tif 000012
【図１１】
2004337053.tif 000013